(57)【要約】      （修正有）【課題】スライドコックを右（または左）にスライドさせるだけで、液体導入チューブと本体の流路とを閉塞することができ、デッドスペースが狭く凝血も発生しない接続部材を提供する。【解決手段】本体（２）とスライドコックと栓体（４）とから構成され、前記本体（２）は、左右に第１開口部（Ｏ１）と第２開口部（Ｏ２）及び上部に第３開口部（Ｏ３ａ）を有し、上部の略中央に凹部（７）を形成し、前記スライドコック（３）は、上部に開口部を有するとともに液体導入チューブの接続部を形成し、栓体（４）は、前記本体（２）の第３開口部（Ｏ３ａ）と一致する位置に形成した孔（８）を有し、前記本体（２）の凹部（７）に当該栓体（４）を挿着し、前記本体（２）の上部にさらに前記スライドコックを装着し、当該スライドコックは左右にスライド可能である接続部材（１）。【選択図】図２
0003135904.tif 000002
【実用新案登録請求の範囲】
【請求項１】
本体（２）とスライドコック（３）と栓体（４）とから構成され、
前記本体（２）は、左右に第１開口部（Ｏ１）と第２開口部（Ｏ２）及び上部に第３開口部（Ｏ３ａ）を有し、左右の第１開口部（Ｏ１）及び第２開口部（Ｏ２）に、体液導出入チューブ（Ｔ１）の第１接続部（５ａ）と第２接続部（５ｂ）をそれぞれ形成し、上部の略中央に凹部（７）を形成し、
前記スライドコック（３）は、上部に開口部（Ｏ３ｂ）を有するとともに液体導入チューブ（Ｔ２）の接続部（６）を形成し、
栓体（４）は、前記本体（２）の第３開口部（Ｏ３ａ）と一致する位置に形成した孔（８）を有し、
前記本体（２）の凹部（７）に当該栓体（４）を挿着し、
前記本体（２）の上部にさらに前記スライドコック（３）を装着し、当該スライドコック（３）は左右にスライド可能であることを特徴とする接続部材（１）。
【請求項２】
前記本体（２）の両外側面に長手方向に段部（１１）を形成し、
前記スライドコック（３）の両内側面に前記本体（２）の段部（１１）に対応する爪部（１２）を形成し、
当該爪部（１２）を、段部（１１）に係止させることで、スライドコック（３）を左右にスライド可能に形成したことを特徴とする請求項１に記載の接続部材（１）。
【請求項３】
前記本体（２）は、左右の端部にそれぞれ凸部（９）を突設したことを特徴とする請求項１または請求項２に記載の接続部材（１）。
【請求項４】
液体導入チューブ（Ｔ２）から前記本体（２）内に液体を導入するときには、本体（２）の第３開口部（Ｏ３ａ）とスライドコック（３）の開口部（Ｏ３ｂ）とが一致し、
体液導出入チューブ（Ｔ１）から前記本体（２）内に体液を導入するときは、スライドコック（３）を本体（２）の上部で右または左にスライドさせることにより、スライドコック（３）の開口部（Ｏ３ｂ）が移動して、本体（２）の第３開口部（Ｏ３ａ）をスライドコック（３）の非開口部（３ｃ）で閉塞することを特徴とする請求項１から請求項３のいずれか１項に記載の接続部材（１）。
【請求項５】
請求項１から請求項４のいずれか１項に記載の接続部材（１）を含むことを特徴とする医療用具。
【考案の詳細な説明】
【技術分野】
【０００１】
本考案は、薬液等を注入する接続部材の改良に関するもので、体液（血液）の滞留や凝固のない接続部材に関する。本考案の接続部材は、生理食塩液、薬液などの注入ラインのジョイント（接続管、Ｔ字管ともいう）等の医療用具に使用される。
【背景技術】
【０００２】
図５と図６は、現在使用されている接続部材６１の断面図と使用状態図で、同図に例示するように、体液導出入チューブから本体６２内に体液を導入するときは、本体６２の上部に形成した上部ポート６３に接続されるチューブＴをクランプ等の閉塞手段Ｃで閉塞することで体液を導入してしていた。
ところが、この場合、本体６２の上部ポート６３内部にデッドスペースＳが存在するため、本体６２内に流入してきた血液はデッドスペースＳ付近で滞留しやすく、血液の凝固を惹起することがあった。
また、閉塞手段Ｃが確実にチューブＴを閉塞できなかったり、閉塞手段Ｃが緩んだり外れたりといったおそれもあった。
【０００３】
特許文献１の混注管２１は、「混注管本体２２の開口部２３に、有底の略円形の弁体装着部３１を設けてあり、弁体装着部３１に略円板状の弁体３２と、弁体操作部材３３を取り付け、弁体装着部３１の底部には、中心からずれた位置に流路孔２５ａが形成されている」。
「弁体３２は中心からずれた位置に、弁体装着部３１の流路孔２５ａに合致し得る流路２５ｂを備えており、また円板状の弁体３２の上部から突出している。弁体操作部材３３は、円板状の弁体３２を弁体装着部３１に保定するとともに、円板状の弁体３２の流路２５ｂを保持する保持部３４を備え、有底の略円形の弁体装着部３１に回動自在に装着されている」［００１７］。
【０００４】
つまり、同文献の図５、６に示されるように、混注管２１は、ゴム製で円盤状の弁体３２を弁体装着部３１に保定し、弁体操作部材３３は、有底の略円形の弁体装着部３１に回動自在に装着されており、弁体操作部材３３を横（水平）方向に回転させることにより流路が開閉できるというものである。
しかしながら、回動自在であるがゆえに、弁体操作部材３３を回しすぎたり、回し足りなかったりして、流路を開いたり閉じたりが上手くできないおそれがある。
【０００５】
また特許文献２には、上部及び左右に開口部を有する本体２と、上部及び左右に開口部を有し、上部に液体導入チューブを接続する接続部６を形成したコック３と、ストッパーチューブ４とから構成される接続部材１が記載されている。
本体２の外周にコック３を回動できるように装着し、一端部に体液導出入チューブの接続部５を形成し、他端部にストッパーチューブ４を装着しているものである。
【０００６】
特許文献２の接続部材１は、コック３を本体２の外周に沿って縦（垂直）方向に回転させることで、本体２の上部開口部のデッドスペースが少なくなり、体液がデッドスペースに滞留しないので凝血も発生せず、クランプ、鉗子等も不要というものである。
しかし、特許文献２の接続部材１では、コック３を回転させる際に、コック３の接続部に接続されている液体導入チューブも同時に回転させなければならず、チューブ同士が絡んだりして扱いづらくなる。
【特許文献１】特開２００５−３２３６７９（［請求項２］、［００１６］、［００１７］、図５、図６）
【特許文献２】特開２００６−２３９１９１（［請求項１］、図１、図２）
【考案の開示】
【考案が解決しようとする課題】
【０００７】
本考案が解決しようとする問題点は、特許文献１では、弁体操作部材３３を回しすぎたり、回し足りなかったりして、流路を開いたり閉じたりする操作が容易かつ確実には行えない点、特許文献２では、流路の閉塞時にはコック３を縦方向に回転させるため、コック３の接続部に接続されているチューブが同時に回転するので、チューブ同士が絡んだりして扱いづらかった点である。
【課題を解決するための手段】
【０００８】
［１］本考案は、本体（２）とスライドコック（３）と栓体（４）とから構成され、
前記本体（２）は、左右に第１開口部（Ｏ１）と第２開口部（Ｏ２）及び上部に第３開口部（Ｏ３ａ）を有し、左右の第１開口部（Ｏ１）及び第２開口部（Ｏ２）に、体液導出入チューブ（Ｔ１）の第１接続部（５ａ）と第２接続部（５ｂ）をそれぞれ形成し、上部の略中央に凹部（７）を形成し、
前記スライドコック（３）は、上部に開口部（Ｏ３ｂ）を有するとともに液体導入チューブ（Ｔ２）の接続部（６）を形成し、
栓体（４）は、前記本体（２）の第３開口部（Ｏ３ａ）と一致する位置に形成した孔（８）を有し、
前記本体（２）の凹部（７）に当該栓体（４）を挿着し、
前記本体（２）の上部にさらに前記スライドコック（３）を装着し、当該スライドコック（３）は左右にスライド可能である接続部材（１）を提供する。
［２］本考案は、前記本体（２）の両外側面に長手方向に段部（１１）を形成し、
前記スライドコック（３）の両内側面に前記本体（２）の段部（１１）に対応する爪部（１２）を形成し、
当該爪部（１２）を、段部（１１）に係止させることで、スライドコック（３）を左右にスライド可能に形成した［１］に記載の接続部材（１）を提供する。
［３］本考案は、前記本体（２）は、左右の端部にそれぞれ凸部（９）を突設した［１］または［２］に記載の接続部材（１）を提供する。
［４］本考案は、液体導入チューブ（Ｔ２）から前記本体（２）内に液体を導入するときには、本体（２）の第３開口部（Ｏ３ａ）とスライドコック（３）の開口部（Ｏ３ｂ）とが一致し、
体液導出入チューブ（Ｔ１）から前記本体（２）内に体液を導入するときは、スライドコック（３）を本体（２）の上部で右または左にスライドさせることにより、スライドコック（３）の開口部（Ｏ３ｂ）が移動して、本体（２）の第３開口部（Ｏ３ａ）をスライドコック（３）の非開口部（３ｃ）で閉塞する［１］から［３］のいずれか１項に記載の接続部材（１）を提供する。
［５］本考案は、［１］から［４］のいずれか１項に記載の接続部材（１）を含むことを特徴とする医療用具を提供する。
【考案の効果】
【０００９】
本考案の接続部材１は、
（１）体液導出入時には、スライドコック３を本体２上部を右（または左）にスライドさせることで、スライドコック３の非開口部３ｃ（壁面）で第３開口部Ｏ３ａが閉塞できるので、第３開口部Ｏ３ａ内のデッドスペースＳが狭くなり、本体２内に流入してきた体液は、デッドスペースＳにほとんど滞留することはなく、したがって凝血も発生しない。
（２）スライドコック３を右（または左）にスライドさせるだけで、液体導入チューブＴ２と本体２の流路とを閉塞することができるので、クランプ、鉗子等の閉塞手段が不要であり、チューブが絡んだりして扱いづらいといったことも起こらない。
（３）（２）により、誰にでも容易・確実に操作することができる。
【考案を実施するための最良の形態】
【００１０】
図１は（Ａ）本考案の接続部材１の概略図（一部切欠断面図）、図２の（Ａ）（Ｂ）（Ｃ）は本考案の接続部材１の構成及び組立手段の一例、（Ｄ）は（Ａ）のＡ−Ａ´断面図、図３は第３開口部Ｏ３ａの通液時の概略図、図４は第３開口部Ｏ３ａのシール（閉塞）時の概略図である。また図５は従来の接続部材６１の概略図（一部切欠断面図）、図６は従来の接続部材６１の使用状態図である。
［接続部材１］
本考案の接続部材１は、本体２とスライドコック３と栓体４とから構成される。
接続部材１の構成について詳述すると、図２（Ａ）に例示するように、本体２の凹部７には栓体４が挿着されており、図２（Ｂ）に示すように、挿着された栓体４の上に、さらにスライドコック３を被せるように装着している。
本体２とスライドコック３は、ポリカーボネート、ポリプロピレン、ポリアセタール等の硬質ないし半硬質で若干の弾力性を有する合成樹脂を用いて成形され、一方、弁体４はシリコンや合成ゴム等の弾力性のある材質で成形されている。
【００１１】
［本体２、スライドコック３］
本体２は例えば図２（Ａ）に示すように、略円筒形状で、左右及び上部の三方向にそれぞれ第１開口部Ｏ１、第２開口部Ｏ２、第３開口部Ｏ３ａを有している。左右端部には体液導出入チューブＴ１の第１接続部５ａ、第２接続部５ｂがそれぞれ形成されている。
本体２の上部の略中央には、凹部７が形成され、この凹部７には弁体４が挿着されている。なお、本考案でいう「挿着」には、接着、固着、嵌着等の意味も含む。
スライドコック３は、図２（Ｂ）のように、略Ｔ字形状で、上部に開口部Ｏ３ｂを有するとともに液体導入チューブＴ２の接続部６を形成している。
また、スライドコック３は、本体２の上部に、スライド可能なように構成されている。具体的にスライド可能な構成として、例えば、図２（Ｂ）のように、本体２の両外側面に長手方向に段部１１を形成し、スライドコック３の両内側面には本体２の段部１１に対応する爪部１２を形成する。この段部１１はレールとして機能し、爪部１２はスライドコック３の内側面とともに、段部１１（レール）にスライドできるように係止してカーソルとして機能する。これら双方の機能により、スライドコック３は本体２の上部を左右にスライドすることができる。
また図２（Ｄ）に示すように、本体２の断面の最大幅及びスライドコック３の断面の内幅は、実質的にほぼ同じ幅Ｗであり、本体２の上からスライドコック３に圧力をかけることで、本体２とスライドコック３を構成する材質の持つ若干の弾力性により、爪部１２が一旦外側に押し開かれて、段部１１に引っかかるように強固に係止する。こうして係止させた段部１１と爪部１２は、二度と外れることはなく、かつレールとカーソルの作用によって左右にスライドさせることができる。
【００１２】
［弁体４］
弁体４は図１及び図２（Ａ）（Ｂ）などの例示のように、中心よりも右または左側部に片寄った位置（図１では左に片寄っている）に孔８を形成しかつ、孔８は、弁体４を本体２に挿着したとき、本体２の第３開口部Ｏ３ａに一致する位置に形成されている。
また弁体４は、前述のように弾性のある材質で形成することにより、液体導入チューブＴ２からの流路を閉塞した場合にもシール性を十分保つことができる。
【００１３】
［凸部９］
図１に例示するように、本体２の左右の上端部にはそれぞれ凸部９を突設している。この凸部９は、スライドコック３が本体２の左右から外れてしまわないようにストッパの役目を果たすとともに、スライドコック３を左または右に移動させる際に、スライドさせたい方向の凸部９と第３接続部６を親指と人差指で挟んで片手でつまむように移動させることができ、把持部の役目も果たす。
なお、図１では、凸部９は両端に上部に向けて突設されているが、要するにスライドコック３のストッパや把持部の機能が果たせられれば、図示した位置や形状に特に限定されることはない。
【００１４】
［使用の一例］
（１）通液時（液体（生食）導入時）
プライミングなどの液体導入時には、図３に示すように、本体２の第３開口部Ｏ３ａにスライドコック３の開口部Ｏ３ｂを一致させて第３開口部Ｏ３ａを開通させ、液体導入チューブＴ２から接続部６を経て本体２内に液体を導入する。
（２）シール時（体液流通（透析）時）
図４のように、スライドコック３を右または左（図４では右）にスライドさせ、通液時には一致していた第３開口部Ｏ３ａと開口部Ｏ３ｂをずらすことで、第３開口部をスライドコック３の非開口部３ｃで閉塞する。これにより、液体導入チューブＴ２と本体２の流路は完全に閉塞される。
このとき、本体２の第３開口部Ｏ３ａ部分にできるデッドスペースＳは狭くなっており、体液導出入チューブＴ１から体液を本体２内に導入しても、デッドスペースＳへの体液の滞留はほとんどない。
【図面の簡単な説明】
【００１５】
【図１】（Ａ）本考案の接続部材１の概略図（一部断面図）
【図２】（Ａ）（Ｂ）（Ｃ）本考案の接続部材１の構成及び組立手段の一例、（Ｄ）（Ｃ）のＡ−Ａ´断面図
【図３】第３開口部Ｏ３ａの通液時の概略図
【図４】第３開口部Ｏ３ａのシール（閉塞）時の概略図
【図５】従来の接続部材６１の概略図（一部切欠断面図）
【図６】従来の接続部材６１の使用状態図
【符号の説明】
【００１６】
１、６１  接続部材
２、６２  本体
３  スライドコック
３ｃ  （スライドコック３の）非開口部
４  弁体
５ａ  第１接続部
５ｂ  第２接続部
６  接続部
７  凹部
８  （弁体４の）孔
９  凸部
１１  溝部（レール）
１２  爪部（カーソル）
Ｏ１  第１開口部
Ｏ２  第２開口部
Ｏ３ａ  （本体２の）第３開口部
Ｏ３ｂ  （スライドコック３の）開口部
６３  上部ポート
Ｃ  閉塞手段
Ｓ  デッドスペース
Ｔ１  体液導出入チューブ
Ｔ２  液体導入チューブ
【図１】
0003135904.tif 000003
【図２】
0003135904.tif 000004
【図３】
0003135904.tif 000005
【図４】
0003135904.tif 000006
【図５】
0003135904.tif 000007
【図６】
0003135904.tif 000008